(57)【特許請求の範囲】
【請求項１】
基端側が下側を占め、自由端側が上側を占めるようにほぼ上下方向に立上った格納位置と、物品載置面がほぼ水平姿勢をとった使用位置との間を回動開閉可能に前記基端側が支持体に枢着されたテーブルを具備する物品載置装置において、
使用位置を占めたテーブルに飲料容器を保持するための凹部が該テーブルに形成されていると共に、該凹部の底壁の一部に指を挿入し得る貫通孔が形成され、該貫通孔に隣接する底壁部分が、格納位置にあるテーブルを使用位置に回動させるときの指掛け部として構成されていることを特徴とする物品載置装置。
【請求項２】
前記テーブルが格納位置を占めた状態で、操作者側を向いた前記底壁部分の面が、同じく操作者側を向いた底壁部分近傍のテーブル面よりも、操作者側に膨出している請求項１に記載の物品載置装置。
【発明の詳細な説明】
【０００１】
【発明の属する技術分野】
本発明は、基端側が下側を占め、自由端側が上側を占めるようにほぼ上下方向に立上った格納位置と、物品載置面がほぼ水平姿勢をとった使用位置との間を回動開閉可能に前記基端側が支持体に枢着されたテーブルを具備する物品載置装置に関する。
【０００２】
【従来の技術】
自動車、鉄道車両、船舶又は航空機などの室内や、一般住宅或いはオフィス内などに上記形式の物品載置装置を設けることは従来より周知である。
【０００３】
図８及び図９は従来のこの種の物品載置装置の一例を示す斜視図であり、ここに示したテーブル１は、自動車の室内に配置された座席２のシートバック背部に配置されている。このテーブル１は、図８に示した格納位置と、図９に示した使用位置との間を回動開閉可能に座席２のシートバック３に支持され、テーブル１を使用位置にもたらすことにより、その上の物品載置面４に地図などの小物を置くことができる。
【０００４】
ここに示したテーブル１には、カップやジュース缶などの飲料容器５を保持するための凹部６Ａが形成されている。また格納位置にあるテーブル１を使用位置に回動させるとき、操作者が指を掛ける指掛け部７Ａがテーブル１に一体に突設されている。
【０００５】
上述のように、テーブル１に指掛け部７Ａと凹部６Ａを設けることにより、テーブル１を楽に操作でき、しかも飲料容器５を安定状態で保持することができる。ところが、テーブル１に凹部６Ａと指掛け部７Ａを共に設けると、その構造が複雑化するだけでなく、指掛け部７Ａが格納位置にあるテーブル１の面から操作者側に大きく突出するので、テーブル１の非使用時にその指掛け部７Ａが邪魔となるおそれもある。また指掛け部７Ａによってテーブル１の外観が害される欠点も免れない。
【０００６】
そこで、図８に示した指掛け部７Ａの代りに、図９に示すように、テーブル１の物品載置面側の縁部近傍に凹状の指掛け部７Ｂを形成し、操作者がここに指を掛けることができるように構成することも考えられる。かかる指掛け部７Ｂによれば、テーブル１を格納位置に納めたとき、その指掛け部７Ｂは外部から見えないため、これがテーブル１の見ばえを低下させたり、これが邪魔となる不具合を阻止できる。ところが、テーブル１の物品載置面側に凹状の指掛け部７Ｂを設けると、物品載置面４の有効面積が狭められ、物品を載置する面積が小さくなる欠点を免れない。
【０００７】
また、テーブル１に凹部６Ａを形成した場合、ここに飲料容器５からこぼれた液体が溜り、操作者に不快感を与えるだけでなく、この液体を拭き取って清掃することも容易ではない。
【０００８】
【発明が解決しようとする課題】
本発明の目的は、上述した従来の問題点を一挙に解決した冒頭に記載した形式の物品載置装置を提供することにある。
【０００９】
【課題を解決するための手段】
本発明は、上記目的を達成するため、冒頭に記載した形式の物品載置装置において、使用位置を占めたテーブルに飲料容器を保持するための凹部が該テーブルに形成されていると共に、該凹部の底壁の一部に指を挿入し得る貫通孔が形成され、該貫通孔に隣接する底壁部分が、格納位置にあるテーブルを使用位置に回動させるときの指掛け部として構成されていることを特徴とする物品載置装置を提案する（請求項１）。
【００１０】
その際、前記テーブルが格納位置を占めた状態で、操作者側を向いた前記底壁部分の面が、同じく操作者側を向いた底壁部分近傍のテーブル面よりも、操作者側に膨出していると有利である（請求項２）。
【００１１】
【発明の実施の形態】
以下、本発明の実施形態例を図面に従って詳細に説明する。
【００１２】
図１及び図２は、本発明に係る物品載置装置の一例を示す斜視図であり、ここに示したテーブル１も、自動車の室内に配置された座席２のシートバック背部に配置されている。このテーブル１は、ブロー成形された樹脂により形成され、内部が中空な板状体により構成されている。またテーブル１は、その基端側８が図示していない同心状の一対のヒンジピンを介してシートバック３の背部を構成するシートバックガーニッシュ９に枢着されている。このように、テーブル１は、上記ヒンジピンのまわりに、矢印Ａ，Ｂ方向に回動可能にシートバック３に支持される。シートバック３はテーブル１を支持する支持体の一例を構成する。
【００１３】
物品載置装置の非使用時に、テーブル１は、図１に示すようにその基端側８が下側を占め、自由端側１０が上側を占めるようにほぼ上下方向に立上った格納位置に納められる。物品載置装置を使用するときは、シートバック３の後方に位置する図示していない操作者がテーブル１を手前側に引き、これを上記ヒンジピンのまわりに矢印Ａ方向に回動させ、当該テーブル１を図２に示した使用位置にもたらす。このようにしてテーブル１の物品載置面４をほぼ水平な姿勢に保持し、その物品載置面４上に地図などの小物を載置する。テーブル１が使用位置に回動したとき、図示していないストッパによって、テーブル１はその使用位置に保持される。使用後には、テーブル１を矢印Ｂ方向に回動させ、これを図１に示した格納位置にもたらす。
【００１４】
シートバックガーニッシュ９には、灰皿１１が固定され、テーブル１の基端側８の中央部には、テーブル１と灰皿１１との干渉を防止するための切欠１２が形成されている。テーブル１を格納位置に納めたまま、或いはこれを使用位置にもたらした状態で、灰皿１１の蓋１３を矢印Ｃ方向に引き、その灰皿１１を使用することができる。
【００１５】
上述のように、本例の物品載置装置は、基端側８が下側を占め、自由端側１０が上側を占めるようにほぼ上下方向に立上った格納位置と、物品載置面４がほぼ水平姿勢をとった使用位置との間を回動開閉可能に、その基端側８がシートバック３より成る支持体に枢着されたテーブル１を具備している。
【００１６】
ここで、図３は格納位置を占めたときのテーブル１の拡大斜視図であり、図４は使用位置にあるテーブル１の拡大斜視図である。また図５は図４のＶ−Ｖ線に沿う切断部端面図である。図４及び図５から判るように、テーブル１には、使用位置を占めたテーブル１に、図４に鎖線で示したように飲料容器５を保持するための凹部６が形成されている。この凹部６の底壁１４、又は凹部６の周方向に形成された環状の棚部１５に、飲料容器５の底部を載せてその飲料容器５を安定状態で保持することができる。
【００１７】
一方、図３乃至図５に示すように、凹部６の底壁１４の一部に、操作者が指を挿入し得る大きさの貫通孔１６が形成されている。格納位置にあるテーブル１を使用位置に回動させるとき、操作者は図６に示すように貫通孔１６に指を挿入し、その指の先端を、貫通孔１６に隣接する底壁部分１７に掛け、この状態でテーブル１を手前側に引く。このように貫通孔１６に隣接する底壁部分１７が、格納位置にあるテーブル１を使用位置に回動させるときの指掛け部７（図５）として構成されている。
【００１８】
上述のように、指掛け部７に指を掛けて、テーブル１を楽に使用位置にもたらすことができ、しかも使用位置にもたらしたテーブル１の凹部６によって飲料容器５を安定状態で保持することができる。その際、飲料容器保持用の凹部６の底壁部分１７が指掛け部７を構成しているので、テーブル１の構造が複雑化することを回避できる。しかもテーブル１が格納位置を占めたとき、指掛け部７が操作者側に大きく突出することはないので、その見ばえを向上させ、かつ指掛け部７が操作者の邪魔となる不具合も阻止できる。その上、指掛け部７が物品載置面４の有効面積を狭めるようなこともなく、物品載置面４を有効に利用することができる。
【００１９】
また、凹部６の底壁１４に貫通孔１６が形成されているので、飲料容器５から液体がこぼれ、これが凹部６の底壁１４に滴下したようなときも、その液体を貫通孔１６を通して下方に流下させることができ、底壁１４に液体が溜る不具合も阻止できる。さらに、その貫通孔１６は、操作者が指を挿入できる程の大きなものであるため、その貫通孔１６にごみなどの異物が詰まることもない。しかも、この貫通孔１６及びその周辺を楽に清掃することができる。
【００２０】
図３及び図５から判るように、テーブル１が格納位置を占めた状態で、操作者側を向いた底壁部分１７の面Ｓ１は、同じく操作者側を向いた底壁部分近傍のテーブル面Ｓ２よりも操作者側に滑らかに膨出している。このため、操作者が格納位置にあるテーブル１を目視したとき、直ちにその底壁部分１７の面Ｓ１、すなわち指掛け部７の位置を確認でき、迷うことなくその指掛け部７に指を掛けてテーブル１を開くことができる。このように、底壁部分１７の面Ｓ１が膨出しているので、この部分が指掛け部７の位置を操作者に報せる目印となる。しかも、底壁部分１７は大きな曲率半径で滑らかに膨出しているので、これが操作者の邪魔となる不具合も生じない。
【００２１】
図７は、テーブル１が格納位置を占めた状態での貫通孔１６と底壁部分１７を示す図であり、符号１８は、その底壁部分１７の縁部を示している。この状態で、操作者が貫通孔１６と底壁部分１７を目視したとき、貫通孔１６は底壁部分１７の右側に位置している。その際、縁部１８の下端を基準点Ｐとし、その基準点Ｐを通る水平線Ｈを考えたとき、縁部１８と水平線Ｈのなす角度であって、貫通孔１６が位置する側の角度をθとしたとき、この角度θを０＜θ≦１８０°に設定すると、操作者は楽にその右手の指を貫通孔１６に挿入することができ、その操作性が高められる。
【００２２】
この条件を満たさないときは、操作者は右手を大きく不自然に捩じった状態で指を貫通孔に挿入させなければならないため、操作性が低下する。これは、図８を参照して先に説明した指掛け部７Ａの場合も同様であり、同図に鎖線で示すように、操作者は右手を大きく捩じった状態で指掛け部７Ａに指を掛けなければならず、操作性が低下する。
【００２３】
このような不具合は、０＜θ≦１８０°を満たすように、縁部１９の位置と、貫通孔１６及び底壁部分１７の位置関係を設定することによって回避することができる。
【００２４】
本発明は、自動車内に設けられる物品載置装置に限らず、鉄道車両、船舶、航空機、ホテル、一般住宅、或いはオフィスなどに配置される物品載置装置にも広く適用できるものである。
【００２５】
【発明の効果】
請求項１に記載の物品載置装置によれば、飲料容器を保持するための凹部の底壁部分が指掛け部を構成しているので、テーブルの構造を簡素化でき、しかもテーブルを格納位置に納めたとき、指掛け部によってテーブルの外観が害されたり、その指掛け部が邪魔となる不具合を阻止できる。しかも指掛け部によって物品載置面の有効面積が狭められるおそれもない。
【００２６】
請求項２に記載の物品載置装置によれば、底壁部分が操作者側へ向けて膨出しているので、操作者は、指掛け部の位置を即座に知ることができ、迷うことなく指掛け部に指を掛けてテーブルを使用位置に回動させることができる。
【図面の簡単な説明】
【図１】テーブルが格納位置に納められた状態を示す斜視図である。
【図２】テーブルが使用位置を占めた様子を示す斜視図である。
【図３】テーブルが格納位置にあるときの拡大斜視図である。
【図４】テーブルが使用位置にあるときの拡大斜視図である。
【図５】図４のＶ−Ｖ線に沿う切断部端面図である。
【図６】指掛け部に指を掛けたときの様子を示す斜視図である。
【図７】底壁部分の縁部の位置を説明する図である。
【図８】従来の物品載置装置の一例を示す斜視図である。
【図９】図８に示した物品載置装置のテーブルを使用位置にもたらしたときの斜視図である。
【符号の説明】
１  テーブル
４  物品載置面
５  飲料容器
６  凹部
７  指掛け部
８  基端側
１０  自由端側
１４  底壁
１６  貫通孔
１７  底壁部分
Ｓ１ 面
Ｓ２ 面
【図１】
0003620775.tif 000002
【図２】
0003620775.tif 000003
【図３】
0003620775.tif 000004
【図４】
0003620775.tif 000005
【図５】
0003620775.tif 000006
【図６】
0003620775.tif 000007
【図７】
0003620775.tif 000008
【図８】
0003620775.tif 000009
【図９】
0003620775.tif 000010